【手続補正書】
【提出日】平成24年6月5日(2012.6.5)
【手続補正１】
【補正対象書類名】明細書
【補正対象項目名】０００６
【補正方法】変更
【補正の内容】
【０００６】
前記課題を解決するため、請求項１記載の発明に係る画像処理装置は、画像を記憶している画像記憶手段と、この画像記憶手段に記憶されている画像の中に含まれている顔画像を検出する顔画像検出手段と、この顔画像検出手段により検出された顔画像に対応する似顔絵画像を作成する似顔絵画像作成手段と、この似顔絵画像作成手段により作成された似顔絵画像と前記顔画像を除いた背景画像とを互いに異なる絵画風画像にそれぞれ変換し、この変換された絵画風似顔絵画像と絵画風背景画像とを合成して絵画風画像を作成する絵画風画像作成手段と、を備えていることを特徴とする。 
【手続補正２】
【補正対象書類名】明細書
【補正対象項目名】００１１
【補正方法】変更
【補正の内容】
【００１１】
また、請求項６記載の発明に係る画像処理方法は、画像を記憶している画像記憶部と、画像を表示する表示部とを備えている画像処理装置に用いられる画像処理方法において、この画像記憶手段に記憶されている画像の中に含まれている顔画像を検出する顔画像検出ステップと、この顔画像検出ステップにより検出された顔画像に対応する似顔絵画像を作成する似顔絵画像作成ステップと、この似顔絵画像作成ステップにより作成された似顔絵画像と前記顔画像を除いた背景画像とを互いに異なる絵画風画像にそれぞれ変換し、この変換された絵画風似顔絵画像と絵画風背景画像とを合成して絵画風画像を作成する絵画風画像作成ステップと、を備えていることを特徴とする。 
【手続補正３】
【補正対象書類名】明細書
【補正対象項目名】００１５
【補正方法】変更
【補正の内容】
【００１５】
また、請求項１０記載の発明に係る画像処理方法は、請求項６記載の画像処理方法において、前記絵画風画像作成ステップにより合成された絵画風画像を表示させる表示制御ステップを備えることを特徴とする。
また、請求項１１記載の発明に係る画像処理装置は、画像の中に含まれている顔画像を検出する顔画像検出手段と、この顔画像検出手段により検出された顔画像に対応する似顔絵画像を作成する似顔絵画像作成手段と、この似顔絵画像作成手段により作成された似顔絵画像を含む画像から絵画風画像を作成する絵画風画像作成手段と、を備えていることを特徴とする。
【手続補正４】
【補正対象書類名】特許請求の範囲
【補正対象項目名】全文
【補正方法】変更
【補正の内容】
【特許請求の範囲】
【請求項１】
画像を記憶している画像記憶手段と、
この画像記憶手段に記憶されている画像の中に含まれている顔画像を検出する顔画像検出手段と、
この顔画像検出手段により検出された顔画像に対応する似顔絵画像を作成する似顔絵画像作成手段と、
この似顔絵画像作成手段により作成された似顔絵画像と前記顔画像を除いた背景画像とを互いに異なる絵画風画像にそれぞれ変換し、この変換された絵画風似顔絵画像と絵画風背景画像とを合成して絵画風画像を作成する絵画風画像作成手段と、
を備えていることを特徴とする画像処理装置。
【請求項２】
前記似顔絵画像作成手段は、
複数の部位毎に複数の部分画像を記憶している部分画像記憶手段と、
前記顔画像検出手段により検出された顔画像を構成している部位毎の部分画像と同じまたは似ている部分画像を前記部分画像記憶手段から部位毎に読み出し、この読み出された部位毎の部分画像を組み合わせて似顔絵画像を作成する画像作成手段と、
を備えていることを特徴とする請求項１記載の画像処理装置。
【請求項３】
前記似顔絵画像作成手段は、
複数の部位毎に複数の部分画像を記憶している部分画像記憶手段と、
前記顔画像検出手段により検出された顔画像を構成している部位毎の部分画像と同じまたは似ている部分画像を前記部分画像記憶手段から部位毎に読み出し、この読み出された部位毎の部分画像を組み合わせて第１の似顔絵画像を作成する第１の画像作成手段と、
この第１の画像作成手段により作成された第１の似顔絵画像のうちの少なくとも一部の部分画像を他の部分画像と置き換え、この置き換えられた他の部分画像と前記置き換えられていない部分画像とを組み合わせて第２の似顔絵画像を似顔絵画像として作成する第２の画像作成手段と、
を備えていることを特徴とする請求項１記載の画像処理装置。
【請求項４】
前記絵画風画像作成手段は、
前記似顔絵画像作成手段により作成された似顔絵画像と前記顔画像を除いた背景画像とに対してそれぞれ施される複数の絵画風画像の種類を表示させる絵画風画像種類表示制御手段と、
この絵画風画像種類表示制御手段の制御により表示されている複数の絵画風画像の種類の中から前記似顔絵画像と前記背景画像とに施される絵画風画像の種類を選択する選択手段と、
この選択手段により選択された絵画風画像の種類に対応して、前記似顔絵画像と前記背景画像とを異なる絵画風画像に変換し、この変換された絵画風似顔絵画像と絵画風背景画像とを合成する絵画風画像合成手段と、
を備えていることを特徴とする請求項１記載の画像処理装置。
【請求項５】
前記絵画風画像作成手段により合成された絵画風画像を表示させる表示制御手段を備えることを特徴とする請求項１記載の画像処理装置。
【請求項６】
画像を記憶している画像記憶部と、画像を表示する表示部とを備えている画像処理装置に用いられる画像処理方法において、
この画像記憶手段に記憶されている画像の中に含まれている顔画像を検出する顔画像検出ステップと、
この顔画像検出ステップにより検出された顔画像に対応する似顔絵画像を作成する似顔絵画像作成ステップと、
この似顔絵画像作成ステップにより作成された似顔絵画像と前記顔画像を除いた背景画像とを互いに異なる絵画風画像にそれぞれ変換し、この変換された絵画風似顔絵画像と絵画風背景画像とを合成して絵画風画像を作成する絵画風画像作成ステップと、
を備えていることを特徴とする画像処理方法。
【請求項７】
前記似顔絵画像作成ステップは、
複数の部位毎に複数の部分画像を記憶している部分画像記憶手段をアクセスし、前記顔画像検出ステップにより検出された顔画像を構成している部位毎の部分画像と同じまたは似ている部分画像を前記部分画像記憶手段から部位毎に読み出し、この読み出された部位毎の部分画像を組み合わせて似顔絵画像を作成する画像作成ステップと、
を備えていることを特徴とする請求項６記載の画像処理方法。
【請求項８】
前記似顔絵画像作成ステップは、
複数の部位毎に複数の部分画像を記憶している部分画像記憶手段をアクセスし、前記顔画像検出手段により検出された顔画像を構成している部位毎の部分画像と同じまたは似ている部分画像を前記部分画像記憶手段から部位毎に読み出し、この読み出された部位毎の部分画像を組み合わせて第１の似顔絵画像を作成する第１の画像作成ステップと、
この第１の画像作成ステップにより作成された第１の似顔絵画像のうちの少なくとも一部の部分画像を他の部分画像と置き換え、この置き換えられた他の部分画像と前記置き換えられていない部分画像とを組み合わせて第２の似顔絵画像を似顔絵画像として作成する第２の画像作成ステップと、
を備えていることを特徴とする請求項６記載の画像処理方法。
【請求項９】
前記絵画風画像作成ステップは、
前記似顔絵画像作成ステップにより作成された似顔絵画像と前記顔画像を除いた背景画像とに対してそれぞれ施される複数の絵画風画像の種類を表示させる絵画風画像種類表示制御ステップと、
この絵画風画像種類表示制御ステップの制御により表示されている複数の絵画風画像の種類の中から前記似顔絵画像と前記背景画像とに施される絵画風画像の種類を選択するために操作される選択手段により選択された絵画風画像の種類に対応して、前記似顔絵画像と前記背景画像とを異なる絵画風画像に変換し、この変換された絵画風似顔絵画像と絵画風背景画像とを合成する絵画風画像合成ステップと、
を備えていることを特徴とする請求項６記載の画像処理方法。
【請求項１０】
前記絵画風画像作成ステップにより合成された絵画風画像を表示させる表示制御ステップを備えることを特徴とする請求項６記載の画像処理方法。
【請求項１１】
画像の中に含まれている顔画像を検出する顔画像検出手段と、
この顔画像検出手段により検出された顔画像に対応する似顔絵画像を作成する似顔絵画像作成手段と、
この似顔絵画像作成手段により作成された似顔絵画像を含む画像から絵画風画像を作成する絵画風画像作成手段と、
を備えていることを特徴とする画像処理装置。